(57)【要約】【課題】消費電力を高めることなく、光磁気ディスクに対する信号記録を高速化する。【解決手段】サスペンション１２の遊端側には、光磁気ディスク２の表面垂直方向に所定の間隔だけ上下に離間して２枚の板ばね１２ａ，１２ｂが配置され、これらの板ばね１２ａ，１２ｂにより磁気ヘッド部１３およびスライダ１４が懸架されている。板ばね１２ａ，１２ｂの間の間隔は、サスペンション１２の遊端側より磁気ヘッド部１３側が小さくされている。これにより、光磁気ディスク２が回転時に上方向に変動した場合、磁気ヘッド部１３の磁界発生方向が、磁気ヘッド部１３の先端側に傾くように回転し、光磁気ディスク２に対する磁界印加点のディスク回転方向に対する変位量を抑制できる。【選択図】図５
2008016121.tif 000002
【特許請求の範囲】
【請求項１】
水平面内で回転駆動される光磁気ディスクに接触摺動して光磁気記録を行う光磁気記録用の磁気ヘッド装置において、
前記光磁気ディスクの半径方向に平行移動するベースプレートに対して前記光磁気ディスクの表面側で一端が固定され、遊端が前記光磁気ディスクの回転方向に延びるサスペンションと、
前記サスペンションの遊端側に懸架された摺動部、および前記摺動部を介して前記光磁気ディスクの表面と所定間隔に保持される電磁変換部を含む磁気ヘッドと、
前記光磁気ディスクの表面垂直方向に対してそれぞれ上側、下側に離間して配置され、それぞれの一端が前記サスペンションの遊端側に固定されて、他端に接続された前記磁気ヘッドを前記光磁気ディスクの表面に付勢する第１および第２の弾性部材と、
を有し、
前記第１の弾性部材と前記第２の弾性部材との間隔について、前記サスペンションの遊端側より前記磁気ヘッド側を小さくしたことを特徴とする磁気ヘッド装置。
【請求項２】
前記光磁気ディスクが上方向に変動したときに、前記磁気ヘッドが水平方向に対して前記磁気ヘッドの先端部側に変位し、前記光磁気ディスクが下方向に変動したとき、前記磁気ヘッドが水平方向に対して前記サスペンションの側に変位するように、前記第１および第２の弾性部材のそれぞれの長さおよび前記サスペンションおよび前記磁気ヘッドに対する接続位置が決定されることを特徴とする請求項１記載の磁気ヘッド装置。
【請求項３】
前記光磁気ディスクがその上下変動に対する基準位置にあるとき、前記電磁変換部からの磁界印加方向が垂直になり、前記光磁気ディスクが前記基準位置から上側および下側に変位したとき、前記磁界印加方向がそれぞれ逆方向に傾き、かつ、前記磁気ヘッドが水平方向に対してそれぞれ前記磁気ヘッドの先端部側、前記サスペンション側に変位するように、前記第１および第２の弾性部材のそれぞれの長さおよび前記サスペンションおよび前記磁気ヘッドに対する接続位置が決定されることを特徴とする請求項１記載の磁気ヘッド装置。
【請求項４】
前記第１および第２の弾性部材の組が、水平方向に対して互いに平行に複数設けられたことを特徴とする請求項１記載の磁気ヘッド装置。
【請求項５】
前記第１および第２の弾性部材のいずれか一方は、前記サスペンションを構成する弾性部材と一体に構成されていることを特徴とする請求項１記載の磁気ヘッド装置。
【請求項６】
前記サスペンションは平板状の弾性部材からなり、前記サスペンションの遊端に近い部分をくり抜くことで複数の前記第１または第２の弾性部材が形成されたことを特徴とする請求項５記載の磁気ヘッド装置。
【請求項７】
前記第１および第２の弾性部材は、前記ベースプレート側において前記第１および第２の弾性部材の間に挿入された第１のスペーサと、前記電磁変換部側において前記第１および第２の弾性部材の間に挿入された第２のスペーサとによって、所定の間隔だけ上下に離間して配置されていることを特徴とする請求項１記載の磁気ヘッド装置。
【請求項８】
前記第２のスペーサは、前記磁気ヘッドの前記摺動部と一体に構成されていることを特徴とする請求項７記載の磁気ヘッド装置。
【請求項９】
水平面内で回転駆動される光磁気ディスクに信号を記録する光磁気記録装置において、
前記光磁気ディスクの半径方向に平行移動するベースプレートに対して前記光磁気ディスクの表面側で一端が固定され、遊端が前記光磁気ディスクの回転方向に延びるサスペンションと、
前記サスペンションの遊端側に懸架された摺動部、および前記摺動部を介して前記光磁気ディスクの表面と所定間隔に保持される電磁変換部を含む磁気ヘッドと、
前記光磁気ディスクの表面垂直方向に対してそれぞれ上側、下側に離間して配置され、それぞれの一端が前記サスペンションの遊端側に固定されて、他端に接続された前記磁気ヘッドを前記光磁気ディスクの表面に付勢する第１および第２の弾性部材と、
を有し、前記第１の弾性部材と前記第２の弾性部材との間隔について、前記サスペンションの遊端側より前記磁気ヘッド側が小さくされた磁気ヘッド装置を備えたことを特徴とする光磁気記録装置。
【発明の詳細な説明】
【技術分野】
【０００１】
本発明は、光磁気ディスクに信号を記録するための磁気ヘッド装置およびこれを備えた光磁気記録装置に関し、特に、光磁気ディスクに接触摺動して光磁気記録を行う摺動型の磁気ヘッド装置および光磁気記録装置に関する。
【背景技術】
【０００２】
光磁気記録再生装置では、記録層を有する光磁気ディスクを挟んで一方に光ビームを照射する光学ピックアップが配置され、他方に外部磁界を印加する光磁気記録用磁気ヘッドが配置される。光ディスクの記録層には、磁気ヘッドから記録情報に応じて磁界の向きが変調された磁界が印加されるとともに、光ピックアップからは所定の強度で光ビームが照射されることで、情報を記録できる。光磁気ディスクに情報を記録するときは、光ビームによってキュリー温度以上に加熱された記録部分が消磁されたのち、光ビームの相対的な移動でキュリー温度以下に低下することによって、磁気ヘッドからの磁界による磁化の方向が固定される。
【０００３】
従来の光磁気記録用磁気ヘッドとしては、磁気ヘッド部に設けられた摺動体が光磁気ディスクに接触摺動することで、磁気ヘッドと記録層との間隔を一定に保つようにした摺動型の磁気ヘッドが知られている（例えば、特許文献１参照）。
【０００４】
図１１は、光磁気ディスク記録装置に用いられる従来の磁気ヘッド装置の構成を示す側面図である。
光磁気ディスク記録装置の磁気ヘッド装置１００は、光学ピックアップ１０４との連結ジョイント部１１１と一体のベースプレート１１１ａ、およびベースプレート１１１ａに一端が固定されたサスペンション１１２を有し、さらにこのサスペンション１１２の遊端には、磁界を発生するための磁気ヘッド部１１３を内蔵したスライダ１１４が固定されている。そして、磁気ヘッド部１１３の磁界発生部の直下に、光学ピックアップ１０４の光ビーム出射部（対物レンズ１２１）が配置された状態で、磁気ヘッド装置１００と光学ピックアップ１０４とが一体となってディスク半径方向に移動される。
【０００５】
スライダ１１４は、摩擦抵抗の低い樹脂などからなり、このスライダ１１４の下面が光磁気ディスク２００の表面に摺動することで、スライダ１１４の内部の磁気ヘッド部１１３と光磁気ディスク２００の記録層とが一定の間隔を保持するようになっている。また、サスペンション１１２は、その少なくとも一部に弾性部を備えており、スライダ１１４を所定の圧力で光磁気ディスク２００の表面に付勢している。
【０００６】
また、この磁気ヘッド装置１００には、サスペンション１１２を跳ね上げるリフタ１１５と、跳ね上げ時にサスペンション１１２や磁気ヘッド部１１３の位置を規定するアーム１１６が設けられている。光磁気ディスク２００は、ディスクカートリッジ２０１に収容された状態で光磁気ディスク記録装置に対して着脱され、ディスクカートリッジ２０１の着脱時には表裏面の開口２０２ａ，２０２ｂが開閉される。この着脱時には、リフタ１１５が図中右方向に移動することによって、スライダ１１４とともに磁気ヘッド部１１３が光磁気ディスク２００の表面から離れ、ディスクカートリッジ２０１と干渉しない高さに保持されるように構成されている。
【特許文献１】特開２００５−６３６３０号公報（段落番号〔００２９〕〜〔００５４〕、図１）
【発明の開示】
【発明が解決しようとする課題】
【０００７】
ところで、光磁気ディスクが回転する際には、そのディスク面が微妙に上下変動することが知られている。例えばＭＤ（ミニディスク、ソニー株式会社の登録商標）規格では、光磁気ディスクの面ぶれやスピンドルモータへのクランプ状態などを考慮して、±５００μｍ程度の上下変動を設計値としている。従来の磁気ヘッド装置では、このような上下変動があっても、ベースプレート１１１ａとのジョイント点付近を仮想回転中心とするサスペンション１１２の回転により、磁気ヘッド部１１３と光磁気ディスク２００の表面とは常に一定の間隔に保持される。
【０００８】
しかし、ディスク面の上下変動量に対応して、スライダ１１４と一体に上下変動する磁気ヘッド部１１３の水平位置は変動してしまう。すなわち、ベースプレート１１１ａとのジョイント点が光磁気ディスク２００の表面より上側に存在するため、上記のサスペンション１１２の仮想回転中心もディスク面より上側となるので、サスペンション１１２は図１１に示すように回転し、その遊端側に懸架されたスライダ１１４は光磁気ディスク２００の上方で円弧を描く。このため、磁気ヘッド部１１３が上下に変位したとき、そのディスク面に対する位置はディスク回転方向に±１００μｍ程度変動してしまう。
【０００９】
こうした磁気ヘッド部１１３の回転方向への位置変動分を吸収するためには、従来の光磁気記録再生装置では、磁気ヘッド部１１３における磁界発生面積に余裕を持たせる必要があった。このことから、従来の磁気ヘッド装置では、磁気ヘッド部１１３における消費電力量を低減することが難しく、特にこのことが、記録信号の周波数を高めて記録速度を高速化することを阻害する要因となっていた。また、磁気ヘッド部１１３のコイル巻線数も増えるため、磁気ヘッド装置の重量が増加するという問題もあった。
【００１０】
本発明はこのような点に鑑みてなされたものであり、消費電力量を上昇させることなく、光磁気ディスクへの記録速度を高速化することが可能な磁気ヘッド装置、およびこれを具備する光磁気記録装置を提供することを目的とする。
【課題を解決するための手段】
【００１１】
本発明では、上記問題を解決するために、水平面内で回転駆動される光磁気ディスクに接触摺動して光磁気記録を行う光磁気記録用の磁気ヘッド装置において、前記光磁気ディスクの半径方向に平行移動するベースプレートに対して前記光磁気ディスクの表面側で一端が固定され、遊端が前記光磁気ディスクの回転方向に延びるサスペンションと、前記サスペンションの遊端側に懸架された摺動部、および前記摺動部を介して前記光磁気ディスクの表面と所定間隔に保持される電磁変換部を含む磁気ヘッドと、前記光磁気ディスクの表面垂直方向に対してそれぞれ上側、下側に離間して配置され、それぞれの一端が前記サスペンションの遊端側に固定されて、他端に接続された前記磁気ヘッドを前記光磁気ディスクの表面に付勢する第１および第２の弾性部材とを有し、前記第１の弾性部材と前記第２の弾性部材との間隔について、前記サスペンションの遊端側より前記磁気ヘッド側を小さくしたことを特徴とする磁気ヘッド装置が提供される。
【００１２】
このような磁気ヘッド装置では、光磁気ディスクが垂直方向に変動したとき、サスペンションの遊端側に配置された第１および第２の弾性部材の磁気ヘッド側の端部を結ぶ直線が、磁気ヘッド側に傾くように回転する。この回転に伴って、磁気ヘッド内の電磁変換部からの磁界印加方向も同方向に傾き、光磁気ディスクの記録層に対する磁界印加点が、光磁気ディスクの回転方向に変位する変位量が抑制される。
【発明の効果】
【００１３】
本発明によれば、光磁気ディスクが垂直方向に変位しても、サスペンションの遊端側に配置された第１および第２の弾性部材において、光磁気ディスクの回転方向に対する磁気ヘッド部の位置変動分を吸収でき、光磁気ディスクの記録層に対する磁界印加点の変位量が抑制される。したがって、磁気ヘッド部における磁界発生面積を小さくすることができ、消費電力量を高めることなく、光磁気ディスクに対する記録信号の周波数を高めて、記録速度を高速化できるようになる。
【発明を実施するための最良の形態】
【００１４】
以下、図面を参照してこの発明の実施の形態について説明する。
最初に、一般的な光磁気記録再生装置の構成および記録再生動作の概略について説明する。
【００１５】
図１は、光磁気記録再生装置の概略構成を示すブロック図である。
図１において、スピンドルモータ１によって一定線速度に回転されるＭＤなどの光磁気ディスク２を挟んで、書き込み情報を磁気信号に変換する記録用の磁気ヘッド３と、レーザ光Ｌを集光する対物レンズを有する光ピックアップ４とが配置されている。この記録用の磁気ヘッド３と光ピックアップ４とは、送りモータ５によって、光磁気ディスク２の略半径方向に移動するようになっている。
【００１６】
最初に、光ピックアップ４による再生動作について説明する。光磁気ディスク２の記録用溝には予めプリグルーブが形成されており、このプリグルーブに対応するＲＦ（Radio Frequency）信号が光ピックアップ４で再生され、ＲＦアンプ６で増幅され２値化されてアドレスデコーダ７に供給される。アドレスデコーダ７からアドレス信号とＦＭ（Frequency Modulation）キャリア信号とがドライブコントローラ８に供給される。
【００１７】
ドライブコントローラ８は、図示しないエンコーダ、デコーダおよびＣＰＵ（Central Processing Unit）等を有し、アドレスデコーダ７からのアドレス信号とＦＭキャリア信号に基づき、サーボ回路９を通じて、スピンドルモータ１の速度制御、送りモータ５を通じての光ピックアップ４の位置制御を行う。
【００１８】
また、光磁気ディスク２に記録されている１または０の磁気信号が光ピックアップ４で１または０の電気信号に再生され、この再生信号がＲＦ信号としてＲＦアンプ６を通じてドライブコントローラ８に供給される。ドライブコントローラ８は、供給されたＲＦ信号を上記デコーダによりデコードして、光磁気ディスク２に記録されていた磁気信号を情報信号として再生する。
【００１９】
つぎに、音声、映像などの情報信号の光磁気ディスク２に対する記録動作について説明する。
外部から供給される記録情報信号は、ドライブコントローラ８でエンコードされた後、２値電圧信号としてヘッド駆動回路１０に供給される。ヘッド駆動回路１０はこの２値電圧信号を２値電流信号に変換し、リード線１０ａ，１０ｂを通じて磁気ヘッド３に供給している。
【００２０】
一方、光ピックアップ４とスピンドルモータ１には上記したサーボ制御がかけられており、光磁気ディスク２の記録層には、光ピックアップ４からレーザ光Ｌが照射されるとともに、磁界変調オーバーライト磁気ヘッドである記録用の磁気ヘッド３により、上記２値電流信号に応じて磁界の向きを変調された外部磁界が印加される。光磁気ディスク２の記録層では、レーザ光Ｌによってキュリー温度以上に加熱されて保磁力を消失した部分が、磁気ヘッド３からの磁界の方向に応じて磁化された後、レーザ光Ｌの相対的な移動でキュリー温度以下に低下することによって磁化の方向が固定され、信号の記録がなされる。
【００２１】
図２は、実施の形態に係る光磁気ディスク記録装置の全体を示す平面図である。
この光磁気ディスク記録装置は、光磁気ディスク２に信号を記録する摺動型の磁気ヘッド装置３０を備えている。光磁気ディスク２はディスクカートリッジ２ａに収容され、このディスクカートリッジ２ａとともに光磁気ディスク記録装置に着脱可能に装着される。
【００２２】
また、この光磁気ディスク２を挟んで一方には光ビームを照射する光ピックアップ４が配置され、他方には外部磁界を印加する磁気ヘッド装置３０が配置されている。さらに、この光磁気ディスク記録装置は、光ピックアップ４の照射光の発光および検出信号の受光を行う発光部・受光部４０と、光ピックアップ４および磁気ヘッド装置３０を案内するガイド部材５ａ，５ｂと、磁気ヘッド装置３０を駆動するための送りモータ５とを備えている。磁気ヘッド装置３０および光ピックアップ４は、信号記録時においては、送りモータ５の駆動力によりガイド部材５ａ，５ｂに沿って、光磁気ディスク２の半径方向（図の矢印方向）に移動される。
【００２３】
図３は、実施の形態に係る磁気ヘッド装置の構成を示す側面図、図４は、図３の磁気ヘッド装置を示す平面図である。
この磁気ヘッド装置３０は、光磁気ディスク記録装置の光ピックアップ連結ジョイント部１１と一体のベースプレート１１ａと、このベースプレート１１ａに固定されたサスペンション１２とを有し、光磁気ディスク２が光磁気ディスク記録装置に挿入された際に、光磁気ディスク２の上面に位置するように設けられている。このサスペンション１２は、図２に示す光磁気ディスク２のディスクカートリッジ２ａの外側で、ベースプレート１１ａによって一端が所定の高さで固定され、その遊端には、後述するような所定の間隔だけ上下に離間した２枚の板ばね（第１、第２の弾性部材）によって、スライダ１４が懸架されている。そして、このスライダ１４には、コイルと磁性コアからなる磁気ヘッド部１３が内蔵されている。磁気ヘッド部１３は、上述したヘッド駆動回路１０から記録信号に応じた変調信号が供給され、その変調信号に応じた外部磁界を発生する。
【００２４】
スライダ１４は、摩擦抵抗の低い樹脂などからなり、主に板ばね１２ａ，１２ｂによって光磁気ディスク２の表面に所定の圧力で付勢されている。スライダ１４の下面が光磁気ディスク２の表面に摺動することで、スライダ１４の内部に設けられた磁気ヘッドと光磁気ディスク２の記録層とが一定の間隔（ギャップ）を保持しながら、光磁気ディスク２に対して外部磁界を印加して記録情報を書き込むようになっている。
【００２５】
また、磁気ヘッド装置３０には、サスペンション１２を跳ね上げるリフタ１５、跳ね上げ時にサスペンション１２や磁気ヘッド部１３の位置を規定するアーム１６が設けられている。光磁気ディスク２は、ディスクカートリッジ２ａに収容された状態で光磁気ディスク記録装置に対して着脱されるが、その着脱時にリフタ１５が図中右方向に移動することにより、スライダ１４とともに磁気ヘッド部１３が光磁気ディスク２の表面から離れ、ディスクカートリッジ２ａと干渉しないようになっている。
【００２６】
フレキシブル配線基板１７は、サスペンション１２の固定端側に配置された図示しないメイン基板からスライダ１４まで延びている。そして、メイン基板に設けられたヘッド駆動回路１０からの記録信号が、フレキシブル配線基板１７を介して磁気ヘッド部１３に供給されている。
【００２７】
図５は、実施の形態に係る磁気ヘッド装置のサスペンションの周囲を示す斜視図である。また、図６は、サスペンションの遊端に設けられた板ばねの周囲を拡大して示す側面図である。
【００２８】
サスペンション１２の遊端側には、光磁気ディスク２の表面垂直方向に所定の間隔だけ上下に離間して２枚の板ばね１２ａ，１２ｂが配置されている。上下２枚の板ばね１２ａ，１２ｂの間には、第１スペーサ１８と第２スペーサ１９が挟み込まれ、これらのスペーサは、それぞれベースプレート１１ａ側での板ばね１２ａ，１２ｂの間隔より、磁気ヘッド部１３側で板ばね１２ａ，１２ｂの間隔の方が狭くなるように挿入されている。各スペーサに板ばね１２ａ，１２ｂを接続する構成とすることで、スペーサの厚さで板ばね１２ａ，１２ｂの間隔を正確かつ容易に規定することができる。また、第２スペーサ１９は、スライダ１４と同材料により一体に形成されており、これにより製造工程を簡略化することもできる。
【００２９】
なお、ここで言う“間隔”とは、図６に示すように板ばね１２ａ，１２ｂに対してそれぞれ同じ角度で交差する直線Ｌａを規定したとき、その直線Ｌａ上での板ばね１２ａ，１２ｂの間の距離Ｗを指す。したがって、第２スペーサ１９の側に近づくにつれて、板ばね１２ａ，１２ｂの間の距離Ｗは徐々に短くなる。
【００３０】
このような構成において、信号記録のために光磁気ディスク２を回転させたとき、光磁気ディスク２自体の平面歪みや、クランプされた光磁気ディスク２のスピンドル軸とのクランプ状態などによって、そのディスク面が微妙に上下変動する場合がある。このとき、スライダ１４およびその内部の磁気ヘッド部１３は、第２スペーサ１９と一体に上下変動する。
【００３１】
ここで、上下の板ばね１２ａ，１２ｂはそれぞれ同じ弾性力を有し、サスペンション１２本体より強度が弱くされている。これにより、光磁気ディスク２の上下変動に伴ってスライダ１４が上下に変動したとき、その変動に伴って生じる力は実質的に板ばね１２ａ，１２ｂによってのみ吸収され、サスペンション１２本体はほとんど撓まない。
【００３２】
また、図５に示すように、これら２枚の板ばね１２ａ，１２ｂの組は、光磁気ディスク２の水平面方向に対して複数、互いに平行に設けられている。これにより、スライダ１４および磁気ヘッド部１３の水平方向に対する軸が一定になり、捩れが防止される。本実施の形態では、板ばね１２ａ，１２ｂは２組設けられている。
【００３３】
なお、本実施の形態では、上側の板ばね１２ａをサスペンション１２と共通化し、平板状のサスペンション１２の遊端に近い部分を四角形状にくり抜くことで、２本の板ばね１２ａを形成している。これにより、板ばね１２ａの強度をサスペンション１２本体より相対的に低くできるとともに、捩れ防止のために板ばね１２ａを容易に複数形成できる。さらに、事前にサスペンション１２本体と板ばね１２ａとを一体に製造できるので、一方の板ばね１２ａの取り付け工程を省略でき、製造コストを抑制できる。
【００３４】
また、本実施の形態では、スライダ１４および磁気ヘッド部１３を板ばね１２ａによって懸架しているが、これらは例えば金属線材などの他の弾性部材によって形成されてもよい。
【００３５】
つぎに、図６に示すように、板ばね１２ａ，１２ｂが第１スペーサ１８の端部に接続している位置をそれぞれ点Ｃ１，Ｃ２とし、第２スペーサ１９の端部に接続している位置をそれぞれ点Ｔ１，Ｔ２として、光磁気ディスク２が上下に変動した場合の板ばね１２ａ，１２ｂの動きについて説明する。
【００３６】
図７は、２枚の板ばねの動作を説明するための概念図である。
この図７では、板ばね１２ａ，１２ｂをそれぞれ直線Ｌｕ，Ｌｄで示し、これらの直線Ｌｕ，Ｌｄと、それらの端点を結んだ直線Ｌｃ，Ｌｔとで形成される四角形を考える。このとき、直線Ｌｃは第１スペーサ１８の端面であり、光磁気ディスク２が上下変動した場合にも変位しない。一方、直線Ｌｔは第２スペーサ１９の端面であり、光磁気ディスク２の上下変動に伴って、第２スペーサ１９、スライダ１４、磁気ヘッド部１３と一体に上下変動する。
【００３７】
このような四角形において、光磁気ディスク２が上下に変動した場合、直線Ｌｕ，Ｌｄは、それぞれ点Ｃ１，Ｃ２を仮想回転中心として回転する。このとき、第２スペーサ１９の側の直線Ｌｔは、上方向に変位するほど右回り方向（図中Ｄｒ方向）に回転し、下方向に変位するほど左回り方向（図中Ｄｌ方向）に回転する。
【００３８】
例えば、下側の板ばね１２ｂに対応する直線Ｌｄの端点である点Ｔ２に、直線Ｌｄと垂直な線を引いて考えると、点Ｔ２が上方向に変位するとき、点Ｔ２は点Ｃ２を中心とした円弧上を移動するので、点Ｔ２は上記の垂直線より必ず第１スペーサ１８の側に変位する。このとき、上側の板ばね１２ａに対応する直線Ｌｕの端点である点Ｔ１は、点Ｃ１を中心として円弧上を移動するが、直線Ｌｕは直線Ｌｄより相対的に右側に傾いた状態となっているので、点Ｔ１が上側に変位すると、その変位点は点Ｔ２からの垂直線より必ず第２スペーサ１９の側となる。このような関係は直線Ｌｄがどのような位置にあっても成立するので、直線Ｌｔは上側に変位するにつれて必ず右回り方向（Ｄｒ方向）に回転する。逆に、下側に変位するにつれて必ず左回り方向（Ｄｌ方向）に回転する。
【００３９】
図８は、４辺の関係が図７とは異なる場合の板ばねの動作を参考のために示す図である。
この図８の場合でも、図７の場合と同様に、直線Ｌｔは上側に変位するにつれて必ず右回り方向（Ｄｒ方向）に回転し、下側に変位するにつれて必ず左回り方向（Ｄｌ方向）に回転する。すなわち、直線Ｌｕ，Ｌｄがいかなる長さであっても、さらに直線Ｌｃ，Ｌｔがいかなる長さや角度であっても、直線Ｌｕ，Ｌｄの間隔が第２スペーサ１９の側に向かうにつれて狭くなるように直線Ｌｕ，Ｌｄのなす角度が規定されていれば、必ず上記と同様の回転動作が行われる。
【００４０】
図９は、図７に示した板ばねの実際の動作を説明するための概念図である。
４辺が図７のような関係を満たしたときでも、光磁気ディスク２の上下変動に伴う実際の動作では、板ばね１２ａ，１２ｂ（すなわち直線Ｌｕ，Ｌｄ）は図９のように撓むことが多い。図９では例として上側に変位した場合を点線で示しているが、このように板ばね１２ａ，１２ｂが撓んだ場合、直線Ｌｔは上側に変位するにつれてさらに大きな角度で右回り方向（Ｄｒ方向）に回転する。
【００４１】
図１０は、光磁気ディスクの上下変動に応じた磁界印加方向の変化を説明するための図である。
上述したように、光磁気ディスク２が上下に変動したとき、スライダ１４および磁気ヘッド部１３（図１０では省略している）は、第２スペーサ１９と一体に変位する。したがって、第２スペーサ１９の端面（すなわち上記の直線Ｌｔ）と、磁気ヘッド部１３からの磁界印加方向Ｄｍとの間は常に一定の角度に保たれるので、磁界印加方向Ｄｍは直線Ｌｔと同じように回転することになる。
【００４２】
ここで、光磁気ディスク２が上下変動に対する基準位置にあるときの記録層（図示せず）に対する磁界印加点をＰｕとすると、磁界印加点Ｐｕは、このときの磁界印加方向Ｄｍを示す直線と記録層との交点になる。なお、この図１０では、光磁気ディスク２が基準位置にあるとき、磁界印加方向Ｄｍが記録層に対して垂直になっている。
【００４３】
この状態から、光磁気ディスク２が上方向に変動すると、磁気ヘッド部１３は右回り方向に回転しながら上方向に変位するので、磁界印加方向Ｄｍも右回り方向に回転する。図１０では、このときの磁界印加方向をＤｍ＿ｕとしている。逆に、光磁気ディスク２が下方向に変動すると、磁気ヘッド部１３は左回り方向に回転しながら下方向に変位するので、磁界印加方向Ｄｍも左回り方向に回転する。図１０では、このときの磁界印加方向をＤｍ＿ｄとしている。
【００４４】
このような回転動作が行われる場合、板ばね１２ａ，１２ｂの取り付け角度や長さ、間隔を適切に選択することで、光磁気ディスク２が変動しても、磁界印加方向Ｄｍ，Ｄｍ＿ｕ，Ｄｍ＿ｄをそれぞれ示す直線と記録層との交点（図中、磁界印加点Ｐ，Ｐｕ，Ｐｄ）が水平方向に変位しないようにすることができる。もしくは、その変位量を小さくすることができる。これにより、磁気ヘッド部１３における磁界発生面積を小さくすることができ、消費電力を高めることなく、記録信号の周波数を高めて高速に信号を記録することが可能になる。また、磁気ヘッド部１３に設けるコイルを小型化し、磁気ヘッド部１３自体を小型化・軽量化することもできる。
【００４５】
なお、光磁気ディスク２が上下変動に対する基準位置にあるとき、磁界印加方向Ｄｍは図１０のように垂直であることが望ましいが、必ずしも垂直である必要もない。例えば、基準位置にあるときに磁界印加方向Ｄｍが傾いていても、光磁気ディスク２が上方向に変動したときに、磁気ヘッド部１３が水平方向に対しては先端方向（図１０の右方向）に変位し、下方向に変動したときには磁気ヘッド部１３がサスペンション１２の方向（図１０の左方向）に変位するようにすれば、磁界印加点の変位量を抑制することができる。
【図面の簡単な説明】
【００４６】
【図１】光磁気記録再生装置の概略構成を示すブロック図である。
【図２】実施の形態に係る光磁気ディスク記録装置の全体を示す平面図である。
【図３】実施の形態に係る磁気ヘッド装置の構成を示す側面図である。
【図４】図３の磁気ヘッド装置を示す平面図である。
【図５】実施の形態に係る磁気ヘッド装置のサスペンションの周囲を示す斜視図である。
【図６】サスペンションの遊端に設けられた板ばねの周囲を拡大して示す側面図である。
【図７】２枚の板ばねの動作を説明するための概念図である。
【図８】４辺の関係が図７とは異なる場合の板ばねの動作を参考のために示す図である。
【図９】図７に示した板ばねの実際の動作を説明するための概念図である。
【図１０】光磁気ディスクの上下変動に応じた磁界印加方向の変化を説明するための図である。
【図１１】光磁気ディスク記録装置に用いられる従来の磁気ヘッド装置の構成を示す側面図である。
【符号の説明】
【００４７】
１……スピンドルモータ、２……光磁気ディスク、３……磁気ヘッド、４……光ピックアップ、５……送りモータ、６……ＲＦアンプ、７……アドレスデコーダ、８……ドライブコントローラ、９……サーボ回路、１０……ヘッド駆動回路、１１……光ピックアップ連結ジョイント部、１１ａ……ベースプレート、１２……サスペンション、１２ａ，１２ｂ……板ばね、１３……磁気ヘッド部、１４……スライダ、１５……リフタ、１６……アーム、１７……フレキシブル配線基板、１８……第１スペーサ、１９……第２スペーサ、３０……磁気ヘッド装置
【図１】
2008016121.tif 000003
【図２】
2008016121.tif 000004
【図３】
2008016121.tif 000005
【図４】
2008016121.tif 000006
【図５】
2008016121.tif 000007
【図６】
2008016121.tif 000008
【図７】
2008016121.tif 000009
【図８】
2008016121.tif 000010
【図９】
2008016121.tif 000011
【図１０】
2008016121.tif 000012
【図１１】
2008016121.tif 000013